(57)【要約】【課題】駆動源の不具合が生じる虞を従来よりも低減することが可能な遊技機の提供を目的とする。【解決手段】本発明の遊技機１０では、回動可能に支持された大入賞扉４２が、ソレノイド１０１により駆動される。ソレノイド１０１は１対設けられていると共に、それぞれ単独で大入賞扉４２を駆動可能となっている。大当り抽選に当選すると、第１ソレノイド１０１Ａが作動して大入賞扉４２を前倒れ位置に配置する。そして、第１ソレノイド１０１Ａの連続した使用時間が規定時間Ｔに達すると、大入賞扉４２の駆動に使用するソレノイド１０１が第２ソレノイド１０１Ｂに切り替えられる。【選択図】図７
2018000640.tif 000002
【特許請求の範囲】
【請求項１】
移動可能に支持された可動部材を、電気的な駆動源で駆動する遊技機において、
１つの前記可動部材に対して前記駆動源を複数設けて、それら駆動源のうち任意の一部の前記駆動源のみで前記可動部材を駆動可能とし、
予め定められた切替条件に基づいて前記可動部材の駆動に使用する前記駆動源を切り替える切替制御手段を備えた遊技機。
【請求項２】
前記切替制御手段は、一から他の前記駆動源に使用を切り替えるときに、一と他の前記駆動源の同時使用期間を経るように制御する請求項１に記載の遊技機。
【請求項３】
前記駆動源の連続した使用時間が予め定められた規定時間に達したことを前記切替条件としている請求項１又は２に記載の遊技機。
【請求項４】
前記可動部材は、第１位置と第２位置との間を移動すると共に付勢手段によって前記第１位置に付勢されて、通常は前記第１位置に配置され、前記駆動源からの動力を受けて前記第２位置に移動するように構成されている請求項１乃至３のうち何れか１の請求項に記載の遊技機。
【請求項５】
前記駆動源は、直動ロッドを備えるソレノイドであり、
前記直動ロッドが前記可動部材に連結されている請求項４に記載の遊技機。
【発明の詳細な説明】
【技術分野】
【０００１】
本発明は、移動可能に支持された可動部材を、電気的な駆動源で駆動する遊技機に関する。
【背景技術】
【０００２】
従来、この種の遊技機として、可動部材としての開閉扉が、駆動源としてのソレノイドにより閉状態から開状態に駆動されるものが知られている（例えば、特許文献１参照）。
【先行技術文献】
【特許文献】
【０００３】
【特許文献１】特開２０１４−２０４７６５号公報（段落［００２３］、図３及び図４）
【発明の概要】
【発明が解決しようとする課題】
【０００４】
しかしながら、上述した従来の遊技機では、例えば、開閉扉を長時間開状態にする際に、ソレノイドの負荷が大きくなり、ソレノイドに不具合が生じる虞があった。
【０００５】
本発明は、上記事情に鑑みてなされたもので、駆動源の不具合が生じる虞を従来よりも低減することが可能な遊技機の提供を目的とする。
【課題を解決するための手段】
【０００６】
上記目的を達成するためになされた請求項１の発明は、移動可能に支持された可動部材を、電気的な駆動源で駆動する遊技機において、１つの前記可動部材に対して前記駆動源を複数設けて、それら駆動源のうち任意の一部の前記駆動源のみで前記可動部材を駆動可能とし、予め定められた切替条件に基づいて前記可動部材の駆動に使用する前記駆動源を切り替える切替制御手段を備えた遊技機である。
【０００７】
請求項２の発明は、前記切替制御手段は、一から他の前記駆動源に使用を切り替えるときに、一と他の前記駆動源の同時使用期間を経るように制御する請求項１に記載の遊技機である。
【０００８】
請求項３の発明は、前記駆動源の連続した使用時間が予め定められた規定時間に達したことを前記切替条件としている請求項１又は２に記載の遊技機である。
【０００９】
請求項４の発明は、前記可動部材は、第１位置と第２位置との間を移動すると共に付勢手段によって前記第１位置に付勢されて、通常は前記第１位置に配置され、前記駆動源からの動力を受けて前記第２位置に移動するように構成されている請求項１乃至３のうち何れか１の請求項に記載の遊技機である。
【００１０】
請求項５の発明は、前記駆動源は、直動ロッドを備えるソレノイドであり、前記直動ロッドが前記可動部材に連結されている請求項４に記載の遊技機である。
【発明の効果】
【００１１】
［請求項１，３の発明］
請求項１の発明では、１つの可動部材に対して駆動源が複数設けられ、それら駆動源のうち任意の一部の駆動源のみで可動部材を駆動することが可能となっている。そして、切替制御手段が可動部材の駆動に使用する駆動源を切り替えるので、可動部材を駆動する際に、従来のように１つの駆動源を常に使用する遊技機に比べて、駆動源の負荷を軽減することが可能となり、駆動源の不具合が生じる虞を低減することが可能となる。
【００１２】
また、切替制御手段が駆動源を切り替える際に基づく切替条件は、駆動源の温度が予め定められた規定温度に達したことでもよいし、請求項３の発明のように、駆動源の連続した使用時間が予め定められた規定時間に達したことでもよい。
【００１３】
［請求項２の発明］
請求項２の発明では、一から他の駆動源に使用を切り替えるときに、一と他の駆動源の同時使用期間を経るように制御するので、駆動源の使用を切り替えるときに可動部材を安定して駆動することが可能となる。
【００１４】
［請求項４，５の発明］
請求項４の発明では、可動部材が駆動源からの動力を受けていないときに、可動部材を第１位置に配置することが可能となる。また、駆動源は、請求項５の発明のように、可動部材に連結された直動ロッドを備えたソレノイドであることが好ましい。
【図面の簡単な説明】
【００１５】
【図１】本発明の一実施形態に係るパチンコ遊技機の正面図
【図２】遊技盤の正面図
【図３】大入賞部の正面図
【図４】開閉ユニットの斜視図
【図５】（Ａ）大入賞扉が起立位置に配置されたときのソレノイドの側面図、（Ｂ）大入賞扉が前倒れ位置に配置されたときのソレノイドの側面図
【図６】（Ａ）大入賞扉が起立位置に配置されたときのソレノイドの平面図、（Ｂ）大入賞扉が前倒れ位置に配置されたときのソレノイドの平面図
【図７】ソレノイドの作動状態の経時変化を示すタイムテーブル
【図８】遊技機の電気的な構成を示したブロック図
【図９】変形例に係るソレノイドの作動状態の径時変化を示すタイムテーブル
【発明を実施するための形態】
【００１６】
以下、本発明をパチンコ遊技機に適用した一実施形態を、図１〜図８に基づいて説明する。図１及び図２に示すように、本実施形態のパチンコ遊技機１０（以下、単に「遊技機１０」という。）は、遊技球が流下可能な遊技領域Ｒ１を、遊技盤１１の前面に備えている。遊技領域Ｒ１は、遊技盤１１から突出したガイドレール２０に囲まれて略円形状をなし、遊技機１０の前面に設けられた前面窓１０Ｗを通して視認可能となっている。
【００１７】
前面窓１０Ｗの下方には、遊技球を貯留可能な上皿１２及び下皿１３が上下二段にして設けられている。下皿１３の右側方には、発射操作ハンドル１４が備えられ、この発射操作ハンドル１４が回動操作されることで、上皿１２に貯留された遊技球が遊技領域Ｒ１に向かって発射される。
【００１８】
図２に示すように、遊技盤１１のうち遊技領域Ｒ１の中央部には、表示開口１１Ｈが貫通形成され、その表示開口１１Ｈを通して、遊技盤１１の裏側に配置された液晶表示装置１５の表示画面１５Ｇが視認可能となっている。表示画面１５Ｇには、遊技に関する演出が表示される。
【００１９】
遊技盤１１の表示開口１１Ｈの開口端部には、表示装飾枠１５Ｗが取付けられていている。表示装飾枠１５Ｗは、遊技盤１１の前面から突出していて、この表示装飾枠１５Ｗによって、遊技流域Ｒ１を流下する遊技球が、表示装飾枠１５Ｗの内側に進入しないようになっている。
【００２０】
遊技領域Ｒ１のうち表示装飾枠１５Ｗの周囲には、入賞ゲート１６、及び複数の入賞部１８，２２，２３，４０が配置されている。遊技領域Ｒ１を流下する遊技球が、各種入賞部１８，２２，２３，４０に入球（入賞）すると、賞球として所定数の遊技球が上皿１２に払い出される。以下、遊技領域Ｒ１の各部位について詳説する。
【００２１】
表示装飾枠１５Ｗの右側方には入賞ゲート１６が配置されている。入賞ゲート１６は遊技球が１つずつ潜って通過可能な門形構造となっている。
【００２２】
表示装飾枠１５Ｗの左右方向中央の下方には、第１始動入賞部１８と第２始動入賞部２３とが上下に並んで配置されている。第１始動入賞部１８は上面が開放したポケット構造をなしている。第２始動入賞部２３は、遊技板１１の前面に開放した始動入賞口２３Ａを備え、常には、始動入賞口２３Ａは矩形の始動入賞扉２４にて閉鎖されている。始動入賞扉２４は、入賞ゲート１６への入賞時に行われる小当たり抽選で当選した場合に、前側に倒れて始動入賞口２３Ａを開放し、その倒れた始動入賞扉２４を案内にして始動入賞口２３Ａに遊技球が進入可能となっている。
【００２３】
第１始動入賞部１８の右側には、大入賞部４０と普通入賞部２２が、左から順に並んで配置されている。普通入賞部２２は、第１始動入賞部１８の左側にも、複数、ガイドレール２０に沿って配置されている。これら普通入賞部２２は、第１始動入賞部１８と同様に上面が開放したポケット構造をなしている。
【００２４】
第２始動入賞部２３の下方とその左右両側には、複数のアウト口１９が設けられている。上述した何れの入賞部１８，２２，２３，４０にも入らずに遊技領域Ｒ１の下端部まで達した遊技球は、これらアウト口１９によって遊技板１１の裏側に回収される。なお、遊技領域Ｒ１には、遊技球の流下方向をランダムに変更するための障害釘１７が多数植設されている。
【００２５】
さて、第１始動入賞部１８の右側方に設けられた上述の大入賞部４０は、遊技盤１１の前面に開口した横長矩形の大入賞口４１を備えている。大入賞口４１は、横長の板状をなした大入賞扉４２（本発明の「可動部材」に相当する。）によって開閉可能となっている。大入賞扉４２は、常には、図３（Ａ）に示す起立位置（本発明の「第１位置」に相当する。）に保持されて、大入賞口４１を閉鎖している。そして、第１始動入賞部１８又は第２始動入賞部２３への遊技球の入賞時に行われる大当たり抽選に当選すると、大当り遊技が行われ、大入賞扉４２は、前側に倒された前倒れ位置（図３（Ｂ）参照。本発明の「第２位置」に相当する。）に所定期間配置され、大入賞口４１が開放される。これにより、流下してきた遊技球が、大入賞扉４２を案内にして大入賞口４１に入賞可能となる。ここで、大入賞扉４２が、開放してから閉じるまでの動作を「ラウンド」と称すると、１回の大当り遊技は、所定回数のラウンドが実行されるまで継続する。１つのラウンドは、所定の終了条件が成立すると終了する。具体的には、大入賞扉４２の開放時間（ラウンド時間）が所定の時間（例えば、３０秒）に達したか、又は、大入賞口４１への入球数が予め定められた上限数（例えば、１０個）になったかの何れかの条件が先に満たされた場合に、上述の終了条件が成立して、大入賞扉４２が大入賞口４１を閉鎖する。
【００２６】
以下、大入賞扉４２の開閉機構について説明する。大入賞扉４２は、左右方向に沿った軸回りに回動可能となっている。詳細には、大入賞扉４２の長手方向の両端面のうち大入賞扉４２の短手方向の一端寄り部分（起立位置に配置されたときの下端寄り部分）には、回動支軸４２Ｊ，４２Ｊが突出形成されている（図４参照）。回動支軸４２Ｊ，４２Ｊは、互いに同軸に配置され、大入賞部４０における大入賞口４１の開口端に回動可能に軸支されている（図３（Ａ）及び図３（Ｂ）参照）。また、図５（Ａ）及び図５（Ｂ）に示すように、大入賞扉４２の長手方向の両端面のうち回動支軸４２Ｊよりも後側には、左右方向に沿って延びた円柱状の係合突部４２Ｔが形成されている。
【００２７】
図４に示すように、大入賞扉４２の後側には、大入賞扉４２を駆動するソレノイド１０１（本発明の「駆動源」に相当する。）と、ソレノイド１０１からの動力を大入賞扉４２に伝達する伝達部材１１０と、が備えられている。
【００２８】
ソレノイド１０１は、ボックス状のソレノイド本体部１０２と、ソレノイド本体部１０２の内部に備えられた図示しないソレノイドコイルに挿通されてソレノイド本体部１０２に対して前後に直動可能な直動ロット１０３と、を有している。
【００２９】
図６（Ａ）及び図６（Ｂ）に示すように、直動ロット１０３は、シャフト部１０３Ａの前端部にキャップ部１０３Ｂを固定した構造となっている。シャフト部１０３Ａは、後側部分がソレノイド本体部１０２に収容されていて、前端部がソレノイド本体部１０２の前面中央から突出した配置となっている。キャップ部１０３Ｂは、シャフト部１０３Ａよりも径方向外側に張り出した鍔部１０３Ｆを後端部に有している。そして、鍔部１０３Ｆの後面とソレノイド本体部１０２の前面との間には、シャフト部１０３Ａを巻回するコイルばね１０４（本発明の「付勢手段」に相当する。）が設けられている。また、以下で説明するように、キャップ部１０３Ｂには、伝達部材１１０が側方から宛がわれて、キャップ部１０３Ｂと連結される。そのため、図５（Ａ）及び図６（Ｂ）に示すように、キャップ部１０３Ｂのうち伝達部材１１０が宛がわれる側面から左右方向の途中部分まで、伝達部材１１０と連結するための上方に開放された丸溝１０３Ｈが延びている。
【００３０】
伝達部材１１０は、前後に延びる板状部材で、板厚方向が左右方向に沿うように直動ロット１０３のキャップ部１０３Ｂの側面に宛がわれると共に、板厚方向に沿った軸回りに下向き位置（図５（Ａ）参照）と上向き位置（図５（Ｂ）参照）との間を回動可能となっている。詳細には、図５（Ｂ）及び図６（Ｂ）に示すように、伝達部材１１０の側面のうち直動ロット１０３と反対側の側面１１０Ｍにおける後端部の下端寄り位置には、伝達部材１１０の回動中心となる回動支軸１１０Ｊが突出形成され、回動支軸１１０Ｊが、大入賞口４１の開口端部の奥側部分に軸支されている。また、伝達部材１１０の側面のうち直動ロット１０３側の側面１１０Ｎにおける後端部の上端寄り位置には、連結支軸１１０Ｔが突出形成されている。連結支軸１１０Ｔは、直動ロット１０３の丸溝１０３Ｈに回動可能に受容されている。
【００３１】
また、伝達部材１１０の前端部には、前側から切り欠かれた形状の切欠き部１１０Ｋが形成されている。従って、伝達部材１１０の前端部は、切欠き部１１０Ｋを上下に挟む１対の爪先部１１０Ａ，１１０Ａが設けられた二股形状になっている。そして、伝達部材１１０の切欠き部１１０Ｋには、大入賞扉４２の係合突部４２Ｔが受容されている。
【００３２】
ソレノイド１０１から大入賞扉４２への動力の伝達は、以下のようにして行われる。ソレノイド１０１は、通常は、非作動状態となっていて、直動ロット１０３は前端位置に配置されている（図５（Ａ）参照）。このとき、伝達部材１１０は、斜め下方に延びた下向き位置に配置され、伝達部材１１０の前端部のうち上側の爪先部１１０Ａが大入賞扉４２の係合突部４２Ｔと係合している。そして、大当り抽選に当選したときに、ソレノイド１０１が作動状態となって、直動ロット１０３は後端位置に配置される（図５（Ｂ）参照）。このとき、直動ロット１０３が、後方に移動することで、伝達部材１１０は、回動支軸１１０Ｊを中心にして前端部を上方に向けるように回動して上向き位置に配置される。そして、この回動に伴い、伝達部材１１０の前端部のうち下側の爪先部１１０Ａが、大入賞扉４２のうち切欠き部１１０Ｋに受容された係合突部４２Ｔを押し上げることで、大入賞扉４２が回動支軸４２Ｊ回りに回動して前倒れ位置となる。
【００３３】
なお、直動ロット１０３に巻回されたコイルばね１０４は、直動ロット１０３の鍔部１０３Ｆの後面とソレノイド本体部１０２の前面とに当接し、直動ロット１０３を前側に付勢することで、大入賞扉４２を起立位置に付勢している。また、大入賞扉４２は、回動支軸４２Ｊよりも短手方向の一端側（係合突部４２Ｔが設けられている側）に、重心を有する構造となっていて、重力によって起立位置に付勢されている。このように、本実施形態の遊技機１０では、大入賞扉４２がソレノイド１０１からの動力を受けていないときに、コイルばね１０４の付勢力及び重力により大入賞扉４２を起立位置に配置することが可能となっている。
【００３４】
ここで、図４及び図６に示すように、本実施形態の遊技機１０には、大入賞扉４２を駆動するソレノイド１０１が、１対設けられている。これら１対のソレノイド１０１，１０１は、左右対称の構造をなしていて、それぞれに対応して伝達部材１１０も左右対称に１対設けられていると共に、係合突部４２Ｔも大入賞扉４２の両端面に設けられている。以下、１対のソレノイド１０１，１０１を区別する際には、適宜、前方から見て右側のものを第１ソレノイド１０１Ａといい、左側のものを第２ソレノイド１０１Ｂということとする。
【００３５】
ここで、各ソレノイド１０１は、作動状態になったときに、単独で大入賞扉４２を起立位置から前倒れ位置へ駆動して前倒れ位置に維持することが可能となっている。そして、遊技機１０では、大入賞扉４２の駆動に使用するソレノイド１０１，１０１を切り替えることが可能となっている。具体的には、本実施形態では、大当り抽選に当選したときに、図７に示すように、まず第１ソレノイド１０１Ａが作動する。そして、最初に第１ソレノイド１０１Ａが作動した時から、予め定められた規定時間Ｔが経過する毎に１対のソレノイド１０１，１０１を交互に切り替えて作動させながら、大入賞扉４２を前倒れ位置に配置し続けるようになっている。このように、本実施形態では、一方のソレノイド１０１の連続した使用時間が規定時間Ｔに達したことを切替条件として、他方のソレノイド１０１が作動される。
【００３６】
また、一方のソレノイド１０１が作動してから規定時間Ｔが経過した時、他方のソレノイド１０１が作動すると、その後、一方のソレノイド１０１は、さらに時間ΔＴだけ作動し続ける。即ち、１対のソレノイド１０１，１０１同士を切り替えるときには、時間ΔＴだけ両方のソレノイド１０１，１０１が同時に使用される同時使用期間が設けられている。
【００３７】
そして、ラウンドの終了条件が成立すると、作動状態となっていたソレノイド１０１が非作動にされて、大入賞扉４２が起立位置に配置される。なお、１対のソレノイド１０１，１０１のうち何れか一方のみが作動状態となっているときには、非作動状態となっている他方のソレノイド１０１に対応する伝達部材１１０は、前倒れ位置に配置された大入賞扉４２の係合突部４２Ｔに押し上げられていて、上向き位置と略同じ位置まで回動した状態となっている。また、非作動状態となっている他方のソレノイド１０１の直動ロット１０３は、前端位置と略同じ位置まで突出している。従って、何れか一方のソレノイド１０１のみが作動状態となっているときの直動ロット１０３，１０３の配置は、図６（Ｂ）に示された同時使用期間中の直動ロット１０３，１０３の配置と略同じになる。
【００３８】
次に、１対のソレノイド１０１，１０１を切り替えて使用するための、遊技機１０の電気的な構成について説明する。
【００３９】
図８には、本実施形態の遊技機１０の電気的な構成が示されている。同図に示すように、主制御基板５０は、ＣＰＵ５１Ａ、ＲＡＭ５１Ｂ、ＲＯＭ５１Ｃ、及び複数のカウンタを備えたマイクロコンピュータ５１を備えている。また、主制御基板５０は、マイクロコンピュータ５１とサブ制御基板５２とを結ぶ入出力回路を備えていると共に、マイクロコンピュータ５１と中継回路８０及び払出制御基板５８とを結ぶ入出力回路を備えていて、遊技に関わる主制御を行う。ＣＰＵ５１Ａは、当否判定部、制御部、演算部、各種カウンタ、各種レジスタ、各種タイマ、各種フラグ等を備え、演算制御を行う他、大当り抽選や小当り抽選等の当否判定に関する乱数等も生成し、制御信号を、サブ制御基板５２や、中継回路８０に接続された大入賞部４０、第２始動入賞部２３等や、払出制御基板５８に接続された球貸モータ、遊技球の発射モータ、賞球モータ等へ出力（送信）可能に構成されている。ＲＡＭ５１Ｂは、ＣＰＵ５１Ａで生成される各種乱数値用の記憶領域、各種データを一時的に記憶する記憶領域やフラグ、ＣＰＵ５１Ａの作業領域を備える。ＲＯＭ５１Ｃには、主制御基板メインプログラムや制御データ等が書き込まれている他、当否判定の判定値等が書き込まれている。
【００４０】
本実施形態では、ＣＰＵ５１Ａに備えられた各種タイマのうち、ソレノイド１０１が作動して大入賞扉４２が前倒れ状態に配置される開放時間（ラウンド時間）を計測するタイマを利用することで、ソレノイド１０１の規定時間Ｔや同時使用期間ΔＴを計測している。そして、その計測時間に基づいて、ＣＰＵ５１Ａから各ソレノイド１０１に、作動又は非作動の制御信号が送信される。
【００４１】
サブ制御基板５２は、主制御基板５０と同様に、ＣＰＵ５２ＡとＲＡＭ５２Ｂ、ＲＯＭ５２Ｃ、複数のカウンタを備えたマイクロコンピュータ５３と、マイクロコンピュータ５３と主制御基板５０とを結ぶ入出力回路と、マイクロコンピュータ５３と表示制御基板７０、演出用の役物部材の駆動源等とを結ぶ入出力回路を備えている。ＣＰＵ５２Ａは、制御部、演算部、各種カウンタ、各種レジスタ、各種タイマ、各種フラグ等を備え、演算制御を行う他、制御信号を、表示制御基板７０、ランプ制御回路、音声制御回路、及び演出用の役物部材の駆動源等へ出力（送信）可能に構成されている。ＲＡＭ５２Ｂは、各種データの記憶領域とＣＰＵ５２Ａによる作業領域を有している。ＲＯＭ５２Ｃには、サブ制御基板メインプログラム等が記憶されている。
【００４２】
本実施形態では、主制御基板５０のＣＰＵ５１Ａは、大当り抽選に当選したときに、第１ソレノイド１０１Ａを作動させて、大入賞扉４２を駆動し大入賞口４１を開放する。そして、ＣＰＵ５１Ａは、第１のソレノイド１０１Ａが作動してから規定時間Ｔが経った時に、第２ソレノイド１０１Ｂを作動させ、その後、時間ΔＴの同時使用期間の間、両ソレノイド１０１Ａ，１０１Ｂを同時に作動させてから、第１ソレノイド１０１Ａを非作動にする。以降、上述のようにソレノイド１０１，１０１を時間Ｔ毎に交互に作動させて切り替えると共に、この切り替えの際には、両ソレノイド１０１，１０１を同時使用期間ΔＴだけ同時に作動させる。そして、ラウンドの終了条件が成立すると、その時に作動させていたソレノイド１０１を非作動とし、大入賞扉４２を起立位置に配置する。なお、本実施形態では、主制御基板５０が、本発明の「切替制御手段」に相当する。
【００４３】
本実施形態の遊技機１０の構成についての説明は以上である。次に、本実施形態の遊技機１０の作用効果について説明する。本実施形態の遊技機１０では、１つの大入賞扉４２に対してソレノイド１０１が１対設けられ、それらのうち何れか１つのソレノイド１０１のみで大入賞扉４２を駆動することが可能となっている。そして、主制御基板５０が大入賞扉４２の駆動に使用するソレノイド１０１を切り替えるので、従来のように大入賞扉を駆動する際に１つのソレノイド１０１を常に使用する遊技機に比べて、ソレノイド１０１の負荷を軽減することが可能となり、ソレノイド１０１の不具合が生じる虞を低減することが可能となる。
【００４４】
また、主制御基板５０がソレノイド１０１を切り替える際に基づく切替条件は、ソレノイド１０１の連続した使用時間が予め定められた規定時間Ｔを経過したこととなっているので、連続使用時間を抑えることができる。
【００４５】
しかも、本実施形態の遊技機１０では、１対のソレノイド１０１，１０１の使用を切り替えるときに、両方のソレノイド１０１，１０１が共に作動する同時使用期間を経るように制御されるので、ソレノイド１０１の使用を切り替えるときに大入賞扉４２を安定して前倒れ位置に維持することが可能となる。
【００４６】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）上記実施形態では、第１ソレノイド１０１Ａと第２ソレノイド１０１Ｂとを切り替える際に、同時使用期間（時間ΔＴ）が設けられていたが、それらソレノイド１０１Ａ，１０１Ｂの一方を非作動にするのと同時に他方を作動させるようにしてもよい。
【００４８】
（２）上記実施形態では、大当り抽選で当選したときに、最初に作動させるソレノイド１０１が、第１ソレノイド１０１Ａに固定されていたが、第１ソレノイド１０１Ａと第２ソレノイド１０１Ｂとから選択されてもよい。このような例として、１回の大当り遊技において、奇数番目のラウンドのときには、第１ソレノイド１０１Ａを最初に作動させ、偶数番目のラウンドのときには、第２ソレノイド１０１Ｂを最初に作動させる構成が挙げられる。このような構成によれば、規定時間Ｔよりも短いラウンド時間となることが頻繁に起きる場合にも、ソレノイド１０１の負荷を軽減することが可能となり、ソレノイド１０１の不具合が生じる虞を低減することが可能となる。また、本実施形態の別の例としては、直前のラウンドが実行された際に最後に作動していた一方のソレノイド１０１ではなく、他方のソレノイド１０１を次のラウンドで最初に作動させる構成が挙げられる。
【００４９】
（３）上記実施形態では、大入賞扉４２を駆動するソレノイド１０１が２つ設けられていたが、３つ以上設けられていてもよい。その場合、作動する複数のソレノイド１０１からなる組が切り替えられてもよい。このような例として、図９に示すように、ソレノイド１０１が３つ設けられ、それらのうち任意の２つのみで大入賞扉４２の駆動及び前倒れ位置の維持を可能とすると共に、作動させる２つのソレノイドの組を切り替える構成（即ち、ソレノイドを１つずつ順番に非作動とする構成）が挙げられる。
【００５０】
（４）上記実施形態では、本発明に係る「駆動源」が、ソレノイドであったが、電気的な駆動源であれば特に限定されず、例えば、モータであってもよい。駆動源としてモータを備えた構成として、例えば、ラックアンドピニオン機構で本発明の「可動部材」を直線的又は曲線的に移動させる構成やリングアンドピニオン機構で「可動部材」を曲線的に移動又は回転移動させる構成において、複数のピニオンを設けて、それらピニオンに連結されたモータの使用を切り替える構成が挙げられる。このような構成では、各モータが作動したときにのみ、各モータとラックとが連結されるように構成されていてもよい。また、本発明に係る「駆動源」が、球貸モータ、遊技球の発射モータ、賞球モータ等であってもよい。
【００５１】
（５）上記実施形態では、本発明の「可動部材」が大入賞口４１を開閉する大入賞扉４２であったが、始動入賞扉２４のように第２始動入賞口２３Ａを開閉する開閉部材であってもよいし、その他の入賞口や始動ゲート等を開閉する開閉部材でもあってもよい。また、本発明の「可動部材」は、演出用の役物部材であってもよく、この場合、主制御基板５０及びサブ制御基板５２が本発明の「切替制御手段」に相当する。
【００５２】
（６）上記実施形態では、大入賞扉４２が起立位置にコイルばね１０４と重力により付勢されていたが、何れか一方によって付勢されていてもよい。また、本発明の「駆動源」が、「可動部材」を「第１位置」と「第２位置」との間で往復駆動する構成となっていてもよい。
【００５３】
（７）上記実施形態では、本発明の「駆動源」の連続した使用時間が規定時間Ｔに達したことを駆動源の切替条件としていたが、例えば、駆動源の温度を測定する温度センサを設けて、使用中の駆動源の温度が規定温度に達したことを駆動源の切替条件としてもよい。
【符号の説明】
【００５４】
１０    遊技機
１１    遊技盤
４２    大入賞扉（可動部材）
５０    主制御基板（切替制御手段）
１０１    ソレノイド（駆動源）
１０３    直動ロット
１０４    コイルばね（付勢手段）
【図１】
2018000640.tif 000003
【図２】
2018000640.tif 000004
【図３】
2018000640.tif 000005
【図４】
2018000640.tif 000006
【図５】
2018000640.tif 000007
【図６】
2018000640.tif 000008
【図７】
2018000640.tif 000009
【図８】
2018000640.tif 000010
【図９】
2018000640.tif 000011